(57)【要約】【課題】違和感のないユーザインターフェースで、編集対象を特定するための特別な選択を行うことなく複数の編集対象画像に対して編集入力が可能にすること。【解決手段】撮影画像編集システムにおいて、前記編集用モニタに対する前記ポインティングデバイスの入力情報が、前記編集処理の実行を指示する編集入力であるか、拡大対象選択入力であるかを判断する入力判定部と、を含み、前記入力判定部は、ポインティングデバイス毎に、少なくとも１つのサムネイル画像群に対する編集入力の許可と、前記編集入力の許可を与えたサムネイル画像群とは異なるサムネイル画像群に対する拡大対象選択入力の許可を与えるように設定され、前記各サムネイル画像群に対して、前記編集処理の実行を指示する編集入力を許可するか、拡大表示するサムネイル画像を選択するための拡大対象選択入力を許可するかを判断する。【選択図】図４
2014202761.tif 000002
【特許請求の範囲】
【請求項１】
撮影部または外部から複数の被写体画像を取得し保存する画像記憶部と、
複数のポインティングデバイスと、
前記ポインティングデバイス毎に、編集モニタの表示領域が設定され、前記複数の被写体画像に対応する複数の編集対象画像をサムネイル表示するためのサムネイル表示画像群と、前記サムネイル画像に対する編集処理を指示するために用いる編集指示画像とを前記表示領域に対応付けて表示する表示制御を行う表示制御部と、
前記編集用モニタを指示する前記ポインティングデバイスの指示位置情報および前記ポインティングデバイスの識別情報を含む入力情報を取得する入力情報取得部と、
前記編集指示画像に対応する位置情報と、前記入力情報とに基づき前記編集対象画像の編集処理を行う編集処理部とを含む撮影画像編集システムにおいて、
前記編集用モニタに対する前記ポインティングデバイスの入力情報が、前記編集処理の実行を指示する編集入力であるか、拡大対象選択入力であるかを判断する入力判定部を含み、
前記入力判定部は、
ポインティングデバイス毎に、少なくとも１つのサムネイル画像群に対する編集入力の許可と、前記編集入力の許可を与えたサムネイル画像群とは異なるサムネイル画像群に対する拡大対象選択入力の許可を与えるように設定され、
前記各サムネイル画像群に対して、前記編集処理の実行を指示する編集入力を許可するか、拡大表示するサムネイル画像を選択するための拡大対象選択入力を許可するかを判断し、
前記入力デバイス識別情報によって特定されるポインティングデバイスが、前記指示位置情報によって特定されるサムネイル画像群に対して編集入力の許可が与えられたポインティングデバイスである場合には、前記入力情報が編集入力であると判定し、
前記入力デバイス識別情報によって特定されるポインティングデバイスが、前記指示位置情報によって特定されるサムネイル画像群に対して拡大対象選択入力の許可が与えられたポインティングデバイスである場合には、前記入力情報が拡大対象選択入力であると判定し、
前記編集処理部は、
前記入力情報が拡大対象選択入力であると判定された場合には、前記入力情報に基づき選択された前記サムネイル画像を拡大し、
前記入力情報が編集入力であると判定された場合には、前記編集入力に基づき、前記サムネイル画像に対応する編集対象画像の編集処理を行うことを特徴とする撮影画像編集システム。
【請求項２】
請求項１において、
前記入力判定部は、
前記指示位置情報によって特定される画像が前記拡大画像である場合には、前記入力デバイス識別情報によって特定されるポインティングデバイスが、前記拡大画像の拡大前のサムネイル画像が属するサムネイル画像群に対して拡大対象選択入力が許可されているポインティングデバイスであれば有効な編集入力であると判定し、
前記表示制御部は、
前記前記拡大画像に対する入力情報が有効な編集入力であると判定された場合には、前記入力情報によって指示された拡大画像に編集用のコンテンツ画像を表示する制御を行い、
前記編集処理部は、
前記拡大画像に対する入力情報が有効な編集入力であると判定された場合には、前記拡大画像に対応する編集対象画像の編集処理を行うことを特徴とする撮影画像編集システム。
【請求項３】
請求項１又は２において、
前記入力情報取得部は、
前記編集インターフェース画像が表示された前記編集用モニタに対して、第１のポインティングデバイスと第２のポインティングデバイスを介して入力される入力情報を取得し、
前記表示制御部は、
前記編集インターフェース画像として、第１のサムネイル画像群、第２のサムネイル画像群を含む画像を表示し、
前記入力判定部は、
第１のサムネイル画像群のサムネイル画像の拡大画像に対する編集入力の許可を、第１のポインティングデバイスに与え、
第２のサムネイル画像群のサムネイル画像の拡大画像に対する編集入力の許可を、第２のポインティングデバイスに与え、
第１のサムネイル画像群に対する編集入力の許可を第２のポインティングデバイスに与え、拡大対象選択入力の許可を第１のポインティングデバイスに与え、
第２のサムネイル画像群に対する編集入力の許可を第１のポインティングデバイスに与え、拡大対象選択入力の許可を第２のポインティングデバイスに与え、
前記入力デバイス識別情報によって特定されるポインティングデバイスが第１のポインティングデバイスであり、前記指示位置情報によって特定される画像が第１のサムネイル画像群のサムネイル画像の拡大画像である場合には、前記入力情報が前記拡大画像に対する有効な編集入力であると判断し、
前記入力デバイス識別情報によって特定されるポインティングデバイスが第２のポインティングデバイスであり、前記指示位置情報によって特定される画像が第２のサムネイル画像群のサムネイル画像の拡大画像である場合には、前記入力情報が前記拡大画像に対する有効な編集入力であると判断し、
前記入力デバイス識別情報によって特定されるポインティングデバイスが第１のポインティングデバイスであり、前記指示位置情報によって特定される画像が第１のサムネイル画像群のサムネイル画像である場合には、前記入力情報が前記拡大対象選択入力であると判断し、
前記入力デバイス識別情報によって特定されるポインティングデバイスが第１のポインティングデバイスであり、前記指示位置情報によって特定される画像が第２のサムネイル画像群のサムネイル画像である場合には、前記入力情報が前記編集入力であると判断し、
前記入力デバイス識別情報によって特定されるポインティングデバイスが第２のポインティングデバイスであり、前記指示位置情報によって特定される画像が第２のサムネイル画像群のサムネイル画像である場合には、前記入力情報が前記拡大対象選択入力であると判断し、
前記入力デバイス識別情報によって特定されるポインティングデバイスが第２のポインティングデバイスであり、前記指示位置情報によって特定される画像が第１のサムネイル画像群のサムネイル画像である場合には、前記入力情報が前記編集入力であると判断することを特徴とする撮影画像編集システム。
【請求項４】
請求項３において、
前記表示制御部は、
前記編集インターフェース画像として、
前記第２のサムネイル画像群が、前記第２の拡大画像よりも前記編集インターフェース画像の表示エリアの第２の側の端に近い位置に配置され、
前記第１のサムネイル画像群が、前記第１の拡大画像よりも前記編集インターフェース画像の表示エリアの第１の側の端に近い位置に配置された画像を表示することを特徴とする撮影画像編集システム。
【請求項５】
請求項１乃至４のいずれかにおいて
前記入力判定部は、
前記入力情報がサムネイル画像に対する編集入力であると判断した場合に、編集入力の移動軌跡が所定の条件を満たす場合には、編集入力を拡大対象選択入力に変更することを特徴とする撮影画像編集システム。
【請求項６】
請求項１乃至４のいずれかにおいて
前記入力判定部は、
前記入力情報がサムネイル画像に対する編集入力であると判断した場合に、編集入力の移動軌跡が所定の条件を満たす場合には、編集入力をキャンセルすることを特徴とする撮影画像編集システム。
【請求項７】
請求項１乃至６のいずれかにおいて、
前記表示制御部は、
前記編集インターフェース画像として、
前記サムネイル画像に対応付けて拡大対象選択ツール画像を表示し、
前記入力判定部は、
前記指示位置情報によって特定される画像が前記拡大対象選択ツール画像である場合には、前記拡大対象選択ツール画像に対応する前記サムネイル画像に対して前記拡大対象選択入力が行われたと判定することを特徴とする撮影画像編集システム。
【請求項８】
請求項１乃至７のいずれかにおいて、
前記入力判定部は、
前記サムネイル画像に対して前記拡大対象選択入力と前記編集入力が競合した場合には、先に入力された入力情報を、当該サムネイル画像に対する有効な入力情報とすることを特徴とする撮影画像編集システム。
【請求項９】
請求項１乃至８のいずれかにおいて、
前記拡大画像が生成されているサムネイル画像については、編集を制限することを特徴とする撮影画像編集システム。
【請求項１０】
ポインティングデバイス毎に、編集モニタの表示領域が設定され、前記複数の被写体画像に対応する複数の編集対象画像をサムネイル表示するためのサムネイル表示画像群と、前記サムネイル画像に対する編集処理を指示するために用いる編集指示画像とを前記表示領域に対応付けて表示する表示制御を行う表示制御部と、
前記編集用モニタを指示する前記ポインティングデバイスの指示位置情報および前記ポインティングデバイスの識別情報を含む入力情報を取得する入力情報取得部と、
前記編集指示画像に対応する位置情報と、前記入力情報とに基づき前記編集対象画像の編集処理を行う編集処理部とを含む撮影画像編集システムと、してコンピュータを機能させるプログラムであって、
前記編集用モニタに対する前記ポインティングデバイスの入力情報が、前記編集処理の実行を指示する編集入力であるか、拡大対象選択入力であるかを判断する入力判定部を含み、
前記入力判定部は、
ポインティングデバイス毎に、少なくとも１つのサムネイル画像群に対する編集入力の許可と、前記編集入力の許可を与えたサムネイル画像群とは異なるサムネイル画像群に対する拡大対象選択入力の許可を与えるように設定され、
前記各サムネイル画像群に対して、前記編集処理の実行を指示する編集入力を許可するか、拡大表示するサムネイル画像を選択するための拡大対象選択入力を許可するかを判断し、
前記入力デバイス識別情報によって特定されるポインティングデバイスが、前記指示位置情報によって特定されるサムネイル画像群に対して編集入力の許可が与えられたポインティングデバイスである場合には、前記入力情報が編集入力であると判定し、
前記入力デバイス識別情報によって特定されるポインティングデバイスが、前記指示位置情報によって特定されるサムネイル画像群に対して拡大対象選択入力の許可が与えられたポインティングデバイスである場合には、前記入力情報が拡大対象選択入力であると判定し、
前記編集処理部は、
前記入力情報が拡大対象選択入力であると判定された場合には、前記入力情報に基づき選択された前記サムネイル画像を拡大し、
前記入力情報が編集入力であると判定された場合には、前記編集入力に基づき、前記サムネイル画像に対応する編集対象画像の編集処理を行うことを特徴とするプログラム。
【請求項１１】
ポインティングデバイス毎に、編集モニタの表示領域が設定され、前記複数の被写体画像に対応する複数の編集対象画像をサムネイル表示するためのサムネイル表示画像群と、前記サムネイル画像に対する編集処理を指示するために用いる編集指示画像とを前記表示領域に対応付けて表示する表示制御を行う表示制御ステップと、
前記編集用モニタを指示する前記ポインティングデバイスの指示位置情報および前記ポインティングデバイスの識別情報を含む入力情報を取得する入力情報取得ステップと、
前記編集指示画像に対応する位置情報と、前記入力情報とに基づき前記編集対象画像の編集処理を行う編集処理ステップと、を含む撮影画像編集システムの制御方法において、
前記編集用モニタに対する前記ポインティングデバイスの入力情報が、前記編集処理の実行を指示する編集入力であるか、拡大対象選択入力であるかを判断する入力判定部ステップを含み、
前記入力判定ステップにおいて、
ポインティングデバイス毎に、少なくとも１つのサムネイル画像群に対する編集入力の許可と、前記編集入力の許可を与えたサムネイル画像群とは異なるサムネイル画像群に対する拡大対象選択入力の許可を与えるように設定され、
前記各サムネイル画像群に対して、前記編集処理の実行を指示する編集入力を許可するか、拡大表示するサムネイル画像を選択するための拡大対象選択入力を許可するかを判断し、
前記入力デバイス識別情報によって特定されるポインティングデバイスが、前記指示位置情報によって特定されるサムネイル画像群に対して編集入力の許可が与えられたポインティングデバイスである場合には、前記入力情報が編集入力であると判定し、
前記入力デバイス識別情報によって特定されるポインティングデバイスが、前記指示位置情報によって特定されるサムネイル画像群に対して拡大対象選択入力の許可が与えられたポインティングデバイスである場合には、前記入力情報が拡大対象選択入力であると判定し、
前記編集処理ステップにおいて、
前記入力情報が拡大対象選択入力であると判定された場合には、前記入力情報に基づき選択された前記サムネイル画像を拡大し、
前記入力情報が編集入力であると判定された場合には、前記編集入力に基づき、前記サムネイル画像に対応する編集対象画像の編集処理を行うことを特徴とする撮影画像編集システムの制御方法。
【発明の詳細な説明】
【技術分野】
【０００１】
本発明は撮影画像編集システム撮影画像編集システム、プログラム及び撮影画像編集システムの制御方法に関する。
【背景技術】
【０００２】
ＣＣＤカメラ等の撮影部で撮影された被写体の画像を編集してプリントする写真シール製造機（写真印刷装置の一例）等の撮影システムが知られている。
【０００３】
この撮影システムでは、ユーザが撮影した画像上に付属のペンで任意の文字や図形などを書き込む（編集する）ことができるものも存在する。
【０００４】
最近では、写真シールとしての印刷を行わずに、ネットワークを介して編集画像を交換したり、Web上に公開したりするコミュニケーションツールとしても人気が高い。
【先行技術文献】
【特許文献】
【０００５】
【特許文献１】特許３４０９２６０号公報
【発明の概要】
【発明が解決しようとする課題】
【０００６】
編集機能を備えた画像印刷装置においては、デジタイザ等で構成された編集用のモニタに、撮影画像を表示撮影画像に対して落書き等を行うための編集画面が二人分表示され、二人のユーザが各自の編集画面で並行して個別に撮影画像に対して編集作業を行い、ユーザごとに編集画像を作成するものが知られている。
【０００７】
係る編集画面においては複数の撮影画像がサムネイル画像として表示され、ユーザはサムネイル画像から所望の撮影画像を選択して編集領域に拡大表示してから、編集領域の拡大画像に対して編集作業を行うのが一般的である。
【０００８】
しかしこの場合、拡大画像についてのみ編集作業が可能であり、編集画面に表示されたサムネイル画像について並行して編集を行うことはできなかった。すなわち、撮影画像に対して編集を行う場合、サムネイル画像から編集対象画像を選択するというプロセスが必要であった。
【０００９】
係るプロセスなしに拡大画像にもサムネイル画像にも編集入力を認めると、サムネイル画像を拡大するための選択入力とサムネイル画像に対する編集入力を区別することが必要になり、現在の入力とは異なる入力方式が必要となる。しかし入力方式を変更すると一般的な編集作業の操作になれたユーザにとって使いづらいものとなる。
【００１０】
本発明はこのような状況に鑑みてなされたものであり、違和感のないユーザインターフェースで、編集対象を特定するための特別な選択を行うことなく複数の編集対象画像に対して編集入力が可能な、撮影画像編集システム、プログラム及び撮影画像編集システムの制御方法を提供することができる。
【課題を解決するための手段】
【００１１】
（１）本発明は、
撮影部または外部から複数の被写体画像を取得し保存する画像記憶部と、
複数のポインティングデバイスと、
前記ポインティングデバイス毎に、編集モニタの表示領域が設定され、前記複数の被写体画像に対応する複数の編集対象画像をサムネイル表示するためのサムネイル表示画像群と、前記サムネイル画像に対する編集処理を指示するために用いる編集指示画像とを前記表示領域に対応付けて表示する表示制御を行う表示制御部と、
前記編集用モニタを指示する前記ポインティングデバイスの指示位置情報および前記ポインティングデバイスの識別情報を含む入力情報を取得する入力情報取得部と、
前記編集指示画像に対応する位置情報と、前記入力情報とに基づき前記編集対象画像の編集処理を行う編集処理部とを含む撮影画像編集システムにおいて、
前記編集用モニタに対する前記ポインティングデバイスの入力情報が、前記編集処理の実行を指示する編集入力であるか、拡大対象選択入力であるかを判断する入力判定部と、
前記入力判定部は、
ポインティングデバイス毎に、少なくとも１つのサムネイル画像群に対する編集入力の許可と、前記編集入力の許可を与えたサムネイル画像群とは異なるサムネイル画像群に対する拡大対象選択入力の許可を与えるように設定され、
前記各サムネイル画像群に対して、前記編集処理の実行を指示する編集入力を許可するか、拡大表示するサムネイル画像を選択するための拡大対象選択入力を許可するかを判断し、
前記入力デバイス識別情報によって特定されるポインティングデバイスが、前記指示位置情報によって特定されるサムネイル画像群に対して編集入力の許可が与えられたポインティングデバイスである場合には、前記入力情報が編集入力であると判定し、
前記入力デバイス識別情報によって特定されるポインティングデバイスが、前記指示位置情報によって特定されるサムネイル画像群に対して拡大対象選択入力の許可が与えられたポインティングデバイスである場合には、前記入力情報が拡大対象選択入力であると判定し、
前記編集処理部は、
前記入力情報が拡大対象選択入力であると判定された場合には、前記入力情報に基づき選択された前記サムネイル画像を拡大し、
前記入力情報が編集入力であると判定された場合には、前記編集入力に基づき、前記サムネイル画像に対応する編集対象画像の編集処理を行うことを特徴とする撮影画像編集システムに関する。
【００１２】
また本発明は、
ポインティングデバイス毎に、編集モニタの表示領域が設定され、前記複数の被写体画像に対応する複数の編集対象画像をサムネイル表示するためのサムネイル表示画像群と、前記サムネイル画像に対する編集処理を指示するために用いる編集指示画像とを前記表示領域に対応付けて表示する表示制御を行う表示制御部と、
前記編集用モニタを指示する前記ポインティングデバイスの指示位置情報および前記ポインティングデバイスの識別情報を含む入力情報を取得する入力情報取得部と、
前記編集指示画像に対応する位置情報と、前記入力情報とに基づき前記編集対象画像の編集処理を行う編集処理部とを含む撮影画像編集システムと、してコンピュータを機能させるプログラムであって、
前記編集用モニタに対する前記ポインティングデバイスの入力情報が、前記編集処理の実行を指示する編集入力であるか、拡大対象選択入力であるかを判断する入力判定部と、
前記入力判定部は、
ポインティングデバイス毎に、少なくとも１つのサムネイル画像群に対する編集入力の許可と、前記編集入力の許可を与えたサムネイル画像群とは異なるサムネイル画像群に対する拡大対象選択入力の許可を与えるように設定され、
前記各サムネイル画像群に対して、前記編集処理の実行を指示する編集入力を許可するか、拡大表示するサムネイル画像を選択するための拡大対象選択入力を許可するかを判断
し、
前記入力デバイス識別情報によって特定されるポインティングデバイスが、前記指示位置情報によって特定されるサムネイル画像群に対して編集入力の許可が与えられたポインティングデバイスである場合には、前記入力情報が編集入力であると判定し、
前記入力デバイス識別情報によって特定されるポインティングデバイスが、前記指示位置情報によって特定されるサムネイル画像群に対して拡大対象選択入力の許可が与えられたポインティングデバイスである場合には、前記入力情報が拡大対象選択入力であると判定し、
前記編集処理部は、
前記入力情報が拡大対象選択入力であると判定された場合には、前記入力情報に基づき選択された前記サムネイル画像を拡大し、
前記入力情報が編集入力であると判定された場合には、前記編集入力に基づき、前記サムネイル画像に対応する編集対象画像の編集処理を行うことを特徴とするプログラムに関する。
【００１３】
また本発明は、コンピュータ読み取り可能な情報記憶媒体であって、上記各部としてコンピュータを機能させるプログラムを記憶（記録）した情報記憶媒体に関する。
【００１４】
また本発明は、
ポインティングデバイス毎に、編集モニタの表示領域が設定され、前記複数の被写体画像に対応する複数の編集対象画像をサムネイル表示するためのサムネイル表示画像群と、前記サムネイル画像に対する編集処理を指示するために用いる編集指示画像とを前記表示領域に対応付けて表示する表示制御を行う表示制御ステップと、
前記編集用モニタを指示する前記ポインティングデバイスの指示位置情報および前記ポインティングデバイスの識別情報を含む入力情報を取得する入力情報取得ステップと、
前記編集指示画像に対応する位置情報と、前記入力情報とに基づき前記編集対象画像の編集処理を行う編集処理ステップと、を含む撮影画像編集システムの制御方法において、
前記編集用モニタに対する前記ポインティングデバイスの入力情報が、前記編集処理の実行を指示する編集入力であるか、拡大対象選択入力であるかを判断する入力判定部ステップを含み、
前記入力判定ステップにおいて、
ポインティングデバイス毎に、少なくとも１つのサムネイル画像群に対する編集入力の許可と、前記編集入力の許可を与えたサムネイル画像群とは異なるサムネイル画像群に対する拡大対象選択入力の許可を与えるように設定され、
前記各サムネイル画像群に対して、前記編集処理の実行を指示する編集入力を許可するか、拡大表示するサムネイル画像を選択するための拡大対象選択入力を許可するかを判断し、
前記入力デバイス識別情報によって特定されるポインティングデバイスが、前記指示位置情報によって特定されるサムネイル画像群に対して編集入力の許可が与えられたポインティングデバイスである場合には、前記入力情報が編集入力であると判定し、
前記入力デバイス識別情報によって特定されるポインティングデバイスが、前記指示位置情報によって特定されるサムネイル画像群に対して拡大対象選択入力の許可が与えられたポインティングデバイスである場合には、前記入力情報が拡大対象選択入力であると判定し、
前記編集処理ステップにおいて、
前記入力情報が拡大対象選択入力であると判定された場合には、前記入力情報に基づき選択された前記サムネイル画像を拡大し、
前記入力情報が編集入力であると判定された場合には、前記編集入力に基づき、前記サムネイル画像に対応する編集対象画像の編集処理を行うことを特徴とする撮影画像編集システムの制御方法に関する。
【００１５】
ここにおいて撮影画像編集システムは、写真撮影システムや写真シール印刷装置でもよいし、撮影機能を搭載した情報機器（携帯電話等の携帯用通信機器や、携帯用ゲーム機や、携帯情報端末や、パーソナルコンピュータ等）でもよいし、例えば電子カメラ等の撮影システムでもよい。
【００１６】
本撮影画像編集システムの入力情報取得部は、デジタイザ等で構成された編集用モニタとタッチペン等で構成されたポインティングデバイスによって実現される。1つの編集用モニタに対して複数のポインティングデバイスが使用可能に構成されており、どのポインティングデバイスによる入力か判別できるようになっている。
【００１７】
編集用のコンテンツ画像とは、文字や線等のらくがき、スタンプ等でもよい。
【００１８】
本発明によれば、前記複数のサムネイル画像群がいずれかのポインティングデバイスによって編集可能な編集インターフェース画像を用いることにより、違和感のないユーザインターフェースで、編集対象を特定するための特別な選択を行うことなく編集インターフェース画像内の複数の画像に対して編集入力が可能な、撮影画像編集システム、プログラム及び撮影画像編集システムの制御方法を提供することができる。
【００１９】
（２）この撮影画像編集システム、プログラム、情報記憶媒体及び撮影画像編集システムの制御方法において、
前記入力判定部は、
前記指示位置情報によって特定される画像が前記拡大画像である場合には、前記入力デバイス識別情報によって特定されるポインティングデバイスが、前記拡大画像の拡大前のサムネイル画像が属するサムネイル画像群に対して拡大対象選択入力が許可されているポインティングデバイスであれば有効な編集入力であると判定し、
前記表示制御部は、
前記前記拡大画像に対する入力情報が有効な編集入力であると判定された場合には、前記入力情報によって指示された拡大画像に編集用のコンテンツ画像を表示する制御を行い、
前記編集処理部は、
前記拡大画像に対する入力情報が有効な編集入力であると判定された場合には、前記拡大画像に対応する編集対象画像の編集処理を行ってもよい。
【００２０】
（３）この撮影画像編集システム、プログラム、情報記憶媒体及び撮影画像編集システムの制御方法において、
前記入力情報取得部は、
前記編集インターフェース画像が表示された前記編集用モニタに対して、第１のポインティングデバイスと第２のポインティングデバイスを介して入力される入力情報を取得し、
前記表示制御部は、
前記編集インターフェース画像として、第１のサムネイル画像群、第２のサムネイル画像群を含む画像を表示し、
前記入力判定部は、
第１のサムネイル画像群のサムネイル画像の拡大画像に対する編集入力の許可を、第１のポインティングデバイスに与え、
第２のサムネイル画像群のサムネイル画像の拡大画像に対する編集入力の許可を、第２のポインティングデバイスに与え、
第１のサムネイル画像群に対する編集入力の許可を第２のポインティングデバイスに与え、拡大対象選択入力の許可を第１のポインティングデバイスに与え、
第２のサムネイル画像群に対する編集入力の許可を第１のポインティングデバイスに与え、拡大対象選択入力の許可を第２のポインティングデバイスに与え、
前記入力デバイス識別情報によって特定されるポインティングデバイスが第１のポインティングデバイスであり、前記指示位置情報によって特定される画像が第１のサムネイル画像群のサムネイル画像の拡大画像である場合には、前記入力情報が前記拡大画像に対する有効な編集入力であると判断し、
前記入力デバイス識別情報によって特定されるポインティングデバイスが第２のポインティングデバイスであり、前記指示位置情報によって特定される画像が第２のサムネイル画像群のサムネイル画像の拡大画像である場合には、前記入力情報が前記拡大画像に対する有効な編集入力であると判断し、
前記入力デバイス識別情報によって特定されるポインティングデバイスが第１のポインティングデバイスであり、前記指示位置情報によって特定される画像が第１のサムネイル画像群のサムネイル画像である場合には、前記入力情報が前記拡大対象選択入力であると判断し、
前記入力デバイス識別情報によって特定されるポインティングデバイスが第１のポインティングデバイスであり、前記指示位置情報によって特定される画像が第２のサムネイル画像群のサムネイル画像である場合には、前記入力情報が前記編集入力であると判断し、
前記入力デバイス識別情報によって特定されるポインティングデバイスが第２のポインティングデバイスであり、前記指示位置情報によって特定される画像が第２のサムネイル画像群のサムネイル画像である場合には、前記入力情報が前記拡大対象選択入力であると判断し、
前記入力デバイス識別情報によって特定されるポインティングデバイスが第２のポインティングデバイスであり、前記指示位置情報によって特定される画像が第１のサムネイル画像群のサムネイル画像である場合には、前記入力情報が前記編集入力であると判断してもよい。
【００２１】
（４）この撮影画像編集システム、プログラム、情報記憶媒体及び撮影画像編集システムの制御方法において、
前記表示制御部は、
前記編集インターフェース画像として、
前記第２のサムネイル画像群が、前記第２の拡大画像よりも前記編集インターフェース画像の表示エリアの第２の側（左側）の端に近い位置に配置され、
前記第１のサムネイル画像群が、前記第１の拡大画像よりも前記編集インターフェース画像の表示エリアの第１の側（右側）の端に近い位置に配置された画像を表示してもよい。
【００２２】
第１の側（右側）で編集作業を行う第１のユーザが第１のポインティングデバイスを使用するので、当該ユーザに近い場所には、第１のユーザが拡大対象選択入力可能な第１のサムネイル画像群が位置する。
【００２３】
同様に、第２の側（左側）で編集作業を行う第２のユーザが第２のポインティングデバイスを使用するので、当該ユーザに近い場所には、当該ユーザが拡大対象選択入力可能な第２のサムネイル画像群が位置する。
【００２４】
従って各ユーザは自己の近くにあるサムネイル画像群に対して拡大対象選択入力を行い、生成された拡大画像に対して編集作業を行いやすいユーザインターフェースを提供することができる。
【００２５】
ここで各ユーザが拡大対象選択入力可能なサムネイル画像群には、他のユーザが編集可能であるが、他のユーザにとっては離れた位置にあるので、編集されない可能性が高い。
各ユーザが拡大対象選択入力可能なサムネイル画像群の画像は各ユーザが拡大表示して編集入力を行う画像であるため、他のユーザによって編集されないほうが、各ユーザにとって使い勝手がよい。従ってこのようにすることで、使い勝手の良いユーザインターフェースを提供することができる。
【００２６】
（５）この撮影画像編集システム、プログラム、情報記憶媒体及び撮影画像編集システムの制御方法において、
前記入力判定部は、
前記入力情報がサムネイル画像に対する編集入力であると判断した場合に、編集入力の移動軌跡が所定の条件を満たす場合には、編集入力を拡大対象選択入力に変更してもよい。
【００２７】
前記編集処理部は、
編集入力が拡大対象選択入力に変更された場合には、当該編集入力を前記サムネイル画像に対応する編集対象画像に反映させず、
前記表示制御部は、
前記編集対象画像の拡大画像を表示し、前記編集入力に基づき表示した編集用のコンテンツ画像を消去する制御を行う。
【００２８】
編集入力の移動軌跡が所定の条件を満たす場合とは、例えば編集入力中のタッチペンの接触位置の移動軌跡が、拡大対象選択入力のタッチペンの接触位置の移動軌跡の条件を満たす場合でもよい。拡大対象選択入力のタッチペンの接触位置の移動軌跡の条件とは、接触位置がサムネイル画像内から画像外に向かって略水平方にスライド移動すること（例えばサムネイル画像内から画像外に向かってフリック入力が行われること）でもよい。
【００２９】
このようにすることで、本来は拡大対象として選択はできないサムネイル画像についても拡大表示できるようになる。
【００３０】
（６）この撮影画像編集システム、プログラム、情報記憶媒体及び撮影画像編集システムの制御方法において、
前記入力判定部は、
前記入力情報がサムネイル画像に対する編集入力であると判断した場合に、編集入力の移動軌跡が所定の条件を満たす場合には、編集入力をキャンセルしてもよい。
【００３１】
（７）この撮影画像編集システム、プログラム、情報記憶媒体及び撮影画像編集システムの制御方法において、
前記表示制御部は、
前記編集インターフェース画像として、
前記サムネイル画像に対応付けて拡大対象選択ツール画像を表示し、
前記入力判定部は、
前記指示位置情報によって特定される画像が前記拡大対象選択ツール画像である場合には、前記拡大対象選択ツール画像に対応する前記サムネイル画像に対して前記拡大対象選択入力が行われたと判定してもよい。
【００３２】
前記拡大対象選択ツール画像を用いた拡大対象選択入力を行えるのは、前記拡大対象選択ツール画像が対応付けられているサムネイル画像に対して拡大対象選択入力が許可されているポインティングデバイスに限定してもよいし、いずれのポインティングデバイスでも可能な構成にしてもよい。
【００３３】
（８）この撮影画像編集システム、プログラム、情報記憶媒体及び撮影画像編集システ
ムの制御方法において、
前記入力判定部は、
前記サムネイル画像に対して前記拡大対象選択入力と前記編集入力が競合した場合には、先に入力された入力情報を、当該サムネイル画像に対する有効な入力情報としてもよい。
【００３４】
サムネイル画像に対して、第１のユーザは拡大対象選択入力が可能であり、第２のユーザは変種入力が可能である場合、第１のユーザが拡大入力を行った場合には拡大画像に対して編集入力を行う可能性が高い。従ってサムネイル画像に対し拡大対象選択入力と編集入力がほぼ同時に行われた場合（競合した場合）には、いずれか１つを有効なものとして扱い１つの編集対象画に対して同時に編集が行われないようにしている。
【００３５】
（９）この撮影画像編集システム、プログラム、情報記憶媒体及び撮影画像編集システムの制御方法において、
前記拡大画像が生成されているサムネイル画像については、編集を制限してもよい。
【００３６】
拡大画像が生成されているサムネイル画像（拡大画像表示中の編集対象画像）についてはサムネイル画像を表示しないことで、編集を制限するようにしてもよい。また拡大画像が生成されているサムネイル画像（拡大画像表示中の編集対象画像）についてはサムネイル画像を表示しても編集入力を受け付けない状態にすることにより、１つのサムネイル画像に対して同時に編集できないようにすることができる。
【図面の簡単な説明】
【００３７】
【図１】写真印刷装置（撮影画像編集システムの一例）の外観の一例を示す斜視図。
【図２】写真印刷装置（撮影画像編集システムの一例）の外観の一例を示す斜視図。
【図３】撮影画像編集システムのブロック図の一例。
【図４】編集インターフェース画像例。
【図５】サムネイル画像群の配置の他の例について説明するための図。
【図６】図６（Ａ）（Ｂ）は、編集入力のキャンセル機能について説明するための図。
【図７】拡大対象選択ツール画像表示機能について説明するための図。
【図８】編集処理の流れを示すフローチャート。
【図９】入力種別判定処理の流れを示すフローチャート。
【図１０】入力種別判定処理の流れを示すフローチャート。
【図１１】図１２（Ａ）（Ｂ）は、本実施の形態の入力判定について説明するための図。
【発明を実施するための形態】
【００３８】
以下、本発明の好適な実施の形態について図面を用いて説明する。
【００３９】
１．撮影画像編集システムの構成
１−１．外観図 
図１は、本実施形態の撮影画像編集システムＰＭ（画像印刷装置の一例）の外観の一例を示す斜視図である。図１は、本実施形態の撮影画像編集システムＰＭのシートＳＴを取り除いた状態の外観を、第１の編集操作受付部ＥＭ１の前面が右正面となるように示した斜視図である。図１に示すように、本実施形態の撮影画像編集システムＰＭは、撮像部ＣＭと、編集操作受付部（編集入力入力部の一例）ＥＭ（ＥＭ１、ＥＭ２）と、写真シール提供部ＰＢとを有する。
【００４０】
図２では、本実施形態の撮影画像編集システムＰＭを覆うシートと撮影部の筐体の一部
を取り除いた状態の外観を、撮像部ＣＭの前面が右正面となるように示した斜視図である。図２に示すように撮像部ＣＭの前面上部には、撮像領域ＣＡに位置するユーザの画像を撮像するカメラＣＲが設けられている。カメラＣＲは、例えばＣＣＤカメラ、Ｃ−ＭＯＳカメラ、又はビデオカメラなどにより実現できる。カメラＣＲは、被写体を正面方向から撮影するもので、撮像部として機能する。
【００４１】
また撮像部ＣＭの前面上部から中部には、撮像領域ＣＡに位置するユーザを照明する撮像用照明部ＣＬが設けられている。この撮像用照明部ＣＬは、カメラＣＲがユーザの画像の撮像を開始した場合に点灯するように制御される。そして、カメラＣＲがユーザの画像を撮像している間、ユーザを照明し続けるように制御される。
【００４２】
また撮像部ＣＭの前面中部には、撮像領域ＣＡに位置するユーザに対して、カメラＣＲが撮像している画像を表示する撮像用モニタＣＭＮ（表示部の一例）が設けられている。本実施形態ではカメラＣＲが画像の撮像を開始すると、撮像用モニタＣＭＮは、撮像領域ＣＡに位置するユーザの画像をリアルタイムの動画として表示する。これによりユーザは、カメラＣＲが撮像しているユーザの画像を撮像用モニタＣＭＮにより確認することができる。撮像用モニタＣＭＮは、ユーザの視点から見下ろす高さに、ユーザに対してその表示画面がほぼ正対するように、筺体に取り付けられている。カメラＣＲで撮影された映像は、撮像用モニタＣＭＮに表示され、ユーザはこの撮像用モニタＣＭＮに表示された映像を見て自身のポーズが適当か否かを確認することができる。
【００４３】
また撮像用モニタＣＭＮは、接触位置を検出できるタッチセンサパネルが積層されたタッチパネル式モニタにより構成されており、ユーザがタッチペンを撮像用モニタＣＭＮに触れさせることにより操作入力を行うことができる。
【００４４】
そして、ユーザの画像の撮像が開始されてから所定時間が経過すると、ユーザの画像の撮像を終了する。そして、撮像領域ＣＡに位置するユーザに対して、第１の編集操作受付部ＥＭ１の前側の領域である編集領域ＥＡ１、又は第２の編集操作受付部ＥＭ２の前側の領域である編集領域ＥＡ２のいずれかに移動する案内を行う。なおいずれに移動するかを特定して案内を行ってもよいし、特定せずに案内してもよい。
【００４５】
図１に示す第１の編集操作受付部ＥＭ１、第２の編集操作受付部ＥＭ２は、上述した撮像部ＣＭにおいて画像を撮像したユーザが、撮像した画像を編集するための操作を行うためのものであり、上述した撮像部ＣＭとは異なる位置に設けられている。第１の編集操作受付部ＥＭ１、第２の編集操作受付部ＥＭ２は、編集操作を行っているユーザが周囲から見えないように、図示しないシートで周囲が覆われるようにしてもよい。特に本実施形態では編集操作受付部ＥＭとして、第１の編集操作受付部ＥＭ１と第２の編集操作受付部ＥＭ２とが設けられている。
【００４６】
図１に示すように第１の編集操作受付部ＥＭ１の前面中央部には、第１の編集操作受付部ＥＭ１の前側の領域である編集領域ＥＡ１に位置するユーザに対して、シールに印刷する静止画として決定した画像を表示しつつ、表示した画像を編集するための操作を受け付けるデジタイザ型の編集用モニタＥＭＮが設けられている。
【００４７】
本実施形態では、編集用モニタＥＭＮの左右に、それぞれの識別が可能な専用のタッチペンＴＰが用意されており、ユーザはタッチペンＴＰの先端を編集用モニタＥＭＮの任意の位置に接触させることにより、決定した画像に合成する線図を描き、模様や図柄のテンプレート（スタンプ画像）を選択してこれを画像に配置して、シールに印刷する静止画を編集する。
【００４８】
なお本実施形態では、図１に示す第１の編集操作受付部ＥＭ１の背面側に、第１の編集操作受付部ＥＭ１と同様の構成を有する第２の編集操作受付部ＥＭ２が設けられ、第２の編集操作受付部ＥＭ２の前側の領域である編集領域ＥＡ２に位置するユーザに対して、シールに印刷する静止画として決定した画像を表示しつつ、表示した画像を編集するための操作を受け付ける。
【００４９】
そして、画像の編集操作の受け付けが開始されてから所定時間が経過するか、ユーザの操作により編集操作の終了が選択されると、画像の編集操作の受け付けを終了する。そして、編集領域ＥＡ１又は編集領域ＥＡ２に位置するユーザに対して、写真シール提供部ＰＢの前側の領域である取出領域ＰＡに移動するように案内する。
【００５０】
そして図１に示すように、第１の編集操作受付部ＥＭ１の一方の面（撮影空間とは逆側の側の面）には、編集された画像をシールに印刷した写真シール（印刷物の一例）をユーザに提供する写真シール提供部ＰＢが設けられている。本実施形態では、取出領域ＰＡに位置するユーザに対して写真シールを提供するように、写真シール提供部ＰＢの前面に写真シール取出口ＰＯが設けられている。
【００５１】
１−２．機能ブロック図
図３は、本実施形態の撮影画像編集システムＰＭのブロック図の一例である。なお、撮影画像編集システムＰＭは、図３の構成要素（各部）を全て含む必要はなく、その一部を省略した構成としてもよい。 
【００５２】
撮像部１９８は、被写体を撮影するためのもので、図２のＣＲに相当し、例えばＣＣＤカメラ、ＣＭＯＳカメラ、又はビデオカメラなどにより実現できる。
【００５３】
操作部１６０（ポインティングデバイス、レバー、ボタン等）は、ユーザが編集用コンテンツ選択メニューの選択操作や編集操作を行うためのものである。
【００５４】
記憶部１７０（ＲＡＭ）は、処理部１００や通信部１９６などのワーク領域となるものである。
【００５５】
情報記憶媒体１８０（ＣＤ、ＤＶＤ、ＨＤＤ、ＲＯＭなどのコンピュータにより読み取り可能な媒体）は、プログラムやデータなどを格納するものである。この情報記憶媒体１８０には、本実施形態の各部としてコンピュータを機能させるためのプログラム（各部の処理をコンピュータに実行させるためのプログラム）が記憶される。
【００５６】
ディスプレイ１９０は画像を表示するものであり、例えば図２の撮像用モニタＣＭＮや編集用ディスプレイ等である。
【００５７】
撮像用モニタＣＭＮは、例えばタッチパネルが用いられ、ディスプレイに表示された入力用のボタンに、ユーザが指を接触させることにより、各種指示入力（例えばコラージュ背景の選択や撮影モードの選択等）を行うことができるように構成されている。
【００５８】
編集用ディスプレイとしては、例えばデジタイザが用いられ、デジタイザ専用のタッチペンＴＰ（ポインティングデバイスの一例）等の先端をディスプレイ表面に接触させ、文字や図形を描くことにより手書き画像を入力できるようになっている。また予め用意された星マークやハートマーク等のスタンプ画像を選択して、タッチペンの先端をディスプレイ表面に接触させることによりスタンプ画像を入力できるようになっている。  編集用ディスプレイは、編集インターフェース画像が表示された前記編集用モニタに対して、複数のタッチペンＴＰを介して入力される入力情報を取得する入力情報取得部として機能する
。
【００５９】
音出力部１９２は音声、ゲーム音などの音を出力するものである。例えば案内処理部の行う編集入力部への移動案内のための音声メッセージを出力してもよい。
【００６０】
携帯型情報記憶装置１９４は、ユーザの個人データや編集用のセーブデータなどが記憶されるものである。
【００６１】
印刷部１９５は、撮影された画像を印刷媒体（シール紙、印画紙、プラスチック板又は記録層）に画像を印刷する処理を行う。この場合の印刷方式としては昇華型、熱転写型、インクジェット方式、レーザプリント方式などの種々の方式がある。また印刷用のプリンタとしては、インクジェット式プリンタ、レーザープリンタ、昇華型プリンタ、熱転写型プリンタ、溶融型プリンタ、サーマルプリンタ、印画紙プリンタ、インスタントフィルムプリンタ等を用いるようにしてもよい。
【００６２】
印刷部１９５は、撮影空間及び複数の編集入力部とは異なる位置に設けられ、編集後の被写体の画像を提供画像として、提供画像の印刷及び送信の少なくとも一方の処理を行う提供画像出力部として機能する。
【００６３】
処理部１００（プロセッサ）は、操作部１６０からの操作データやプログラムなどに基づいて、ゲーム処理、画像生成処理、或いは音生成処理などの各種の処理を行う。この場合、処理部１００は、記憶部１７０内の主記憶部１７２をワーク領域として使用して、各種の処理を行う。この処理部１００の機能は、各種プロセッサ（ＣＰＵ、ＤＳＰ等）又はＡＳＩＣ（ゲートアレイ等）などのハードウェアや、プログラム（ゲームプログラム）により実現できる。
【００６４】
処理部１００は、背景抜き取り画像生成部１１０、確認画像表示制御部１１２、表示制御部１１４、画像取り込み制御部１１６、入力判定部１１８、編集処理部１２０、入力情報取得部１２４、画像生成部１３０、音生成部１４０を含む。
【００６５】
背景抜き取り画像生成部１１０は、所定の色（背景色）を背景として撮影された撮影画像から所定の色（背景色）を抜き取る処理を行う。所定の色（背景色）の抜き取り処理は、例えばクロマキー処理で実現してもよいし、マスク処理で実現してもよい。
【００６６】
クロマキーとは画像の中からある特定色（例えば背景色）をもつ領域を抜き出し、そこに他の画像を埋め込む手法である。なお他の画像を埋め込む手法としては、特定色をもつ領域のα値（透明度を表す値とする）を１にして、他の画像と半透明合成（例えばαブレンディング処理）を行うことにより実現することができる。 
【００６７】
マスク処理とは画像の特定の領域（本発明の場合には背景色の領域）の画素値をすべて１にして、他の部分をすべて０にしたマスク画像を作成し、このマスク画像の０の部分には画像Ａを、マスク画像の１の部分には画像Ｂを埋め込むことにより両画像を合成する手法である。
【００６８】
確認画像表示制御部１１２は、撮像部１９８によって撮影された撮影画像に対応した確認画像をリアルタイムに表示部に動画像表示させる処理を行う。画像取り込み制御部１１６は、撮影中に発生する取り込みタイミングにおける確認画像に対応した画像を取り込み画像として記憶部に記憶させる制御を行う。
【００６９】
また確認画像表示制御部１１２は、確認画像として、撮像部によって撮影された被写体
の撮影画像から背景を抜き取った背景抜き取り画像と所与の背景画像を合成した合成画像をリアルタイムに生成し、画像取り込み制御部１１６は、撮影中に発生する取り込みタイミングにおける確認画像に対応した合成画像を取り込み画像として記憶させてもよい。
【００７０】
表示制御部１１４は、前記ポインティングデバイス毎に、編集モニタの表示領域が設定され、前記複数の被写体画像に対応する複数の編集対象画像をサムネイル表示するためのサムネイル表示画像群と、前記サムネイル画像に対する編集処理を指示するために用いる編集指示画像とを前記表示領域に対応付けて表示する表示制御を行う。
【００７１】
入力情報取得部１２４は、前記編集用モニタを指示する前記ポインティングデバイスの指示位置情報および前記ポインティングデバイスの識別情報を含む入力情報を取得する。
編集処理部１２０は、前記編集指示画像に対応する位置情報と、前記入力情報とに基づき前記編集対象画像の編集処理を行う。
【００７２】
入力判定部１１８は、前記編集用モニタに対する前記ポインティングデバイスの入力情報が、前記編集処理の実行を指示する編集入力であるか、拡大対象選択入力であるかを判断し、ポインティングデバイス毎に、少なくとも１つのサムネイル画像群に対する編集入力の許可と、前記編集入力の許可を与えたサムネイル画像群とは異なるサムネイル画像群に対する拡大対象選択入力の許可を与えるように設定され、前記各サムネイル画像群に対して、前記編集処理の実行を指示する編集入力を許可するか、拡大表示するサムネイル画像を選択するための拡大対象選択入力を許可するかを判断し、前記入力デバイス識別情報によって特定されるポインティングデバイスが、前記指示位置情報によって特定されるサムネイル画像群に対して編集入力の許可が与えられたポインティングデバイスである場合には、前記入力情報が編集入力であると判定し、前記入力デバイス識別情報によって特定されるポインティングデバイスが、前記指示位置情報によって特定されるサムネイル画像群に対して拡大対象選択入力の許可が与えられたポインティングデバイスである場合には、前記入力情報が拡大対象選択入力であると判定する。
【００７３】
編集処理部１２０は、前記入力情報が拡大対象選択入力であると判定された場合には、前記入力情報に基づき選択された前記サムネイル画像を拡大し、前記入力情報が編集入力であると判定された場合には、前記編集入力に基づき、前記サムネイル画像に対応する編集対象画像の編集処理を行う。
【００７４】
また入力判定部１１８は、指示位置情報によって特定される画像が拡大画像である場合には、入力デバイス識別情報によって特定されるタッチペンＴＰが、拡大画像の拡大前のサムネイル画像が属するサムネイル画像群に対して拡大対象選択入力が許可されているタッチペンＴＰであれば有効な編集入力であると判定してもよい。そして表示制御部１１４は、拡大画像に対する入力情報が有効な編集入力であると判定された場合には、入力情報によって指示された拡大画像に編集用のコンテンツ画像を表示する制御を行ってもよい。そして編集処理部１２０は、拡大画像に対する入力情報が有効な編集入力であると判定された場合には、拡大画像に対応する編集対象画像の編集処理を行ってもよい。
【００７５】
入力情報取得部は、編集インターフェース画像が表示された編集用モニタに対して、第１のタッチペン３１０−１と第２のタッチペン３１０−２を介して入力される入力情報を取得してもよい。表示制御部１１４は、編集インターフェース画像として、第１のサムネイル画像群、第２のサムネイル画像群を含む画像を表示してもよい。入力判定部１１８は、第１のサムネイル画像群のサムネイル画像の拡大画像に対する編集入力の許可を、第１のタッチペン３１０−１に与え、第２のサムネイル画像群のサムネイル画像の拡大画像に対する編集入力の許可を、第２のタッチペン３１０−２に与え、
第１のサムネイル画像群に対する編集入力の許可を第２のタッチペン３１０−２に与え
、拡大対象選択入力の許可を第１のタッチペン３１０−１に与え、第２のサムネイル画像群に対する編集入力の許可を第１のタッチペン３１０−１に与え、拡大対象選択入力の許可を第２のタッチペン３１０−２与え、入力デバイス識別情報によって特定されるタッチペンＴＰが第１のタッチペン３１０−１であり、指示位置情報によって特定される画像が第１のサムネイル画像群のサムネイル画像の拡大画像である場合には、入力情報が拡大画像に対する有効な編集入力であると判断し、入力デバイス識別情報によって特定されるタッチペンＴＰが第２のタッチペン３１０−２であり、指示位置情報によって特定される画像が第２のサムネイル画像群のサムネイル画像の拡大画像である場合には、入力情報が拡大画像に対する有効な編集入力であると判断し、入力デバイス識別情報によって特定されるタッチペンＴＰが第１のタッチペン３１０−１であり、指示位置情報によって特定される画像が第１のサムネイル画像群のサムネイル画像である場合には、入力情報が拡大対象選択入力であると判断し、入力デバイス識別情報によって特定されるタッチペンＴＰが第１のタッチペン３１０−１であり、指示位置情報によって特定される画像が第２のサムネイル画像群のサムネイル画像である場合には、入力情報が編集入力であると判断し、入力デバイス識別情報によって特定されるタッチペンＴＰが第２のタッチペン３１０−２であり、指示位置情報によって特定される画像が第２のサムネイル画像群のサムネイル画像である場合には、入力情報が拡大対象選択入力であると判断し、入力デバイス識別情報によって特定されるタッチペンＴＰが第２のタッチペン３１０−２であり、指示位置情報によって特定される画像が第１のサムネイル画像群のサムネイル画像である場合には、入力情報が編集入力であると判断してもよい。
【００７６】
また表示制御部１１４は、編集インターフェース画像として、第２のサムネイル画像群が、第２の拡大画像よりも編集インターフェース画像の表示エリアの第２の側（左側）の端に近い位置に配置され、第１のサムネイル画像群が、第１の拡大画像よりも編集インターフェース画像の表示エリアの第１の側（右側）の端に近い位置に配置された画像を表示してもよい。
【００７７】
また入力判定部１１８は、入力情報がサムネイル画像に対する編集入力であると判断した場合に、編集入力の移動軌跡が所定の条件を満たす場合には、編集入力を拡大対象選択入力に変更してもよい。
【００７８】
また入力判定部１１８は、入力情報がサムネイル画像に対する編集入力であると判断した場合に、編集入力の移動軌跡が所定の条件を満たす場合には、編集入力をキャンセルしてもよい。
【００７９】
また表示制御部１１４は、編集インターフェース画像として、サムネイル画像に対応付けて拡大対象選択ツール画像を表示してもよい。そして入力判定部１１８は、指示位置情報によって特定される画像が拡大対象選択ツール画像である場合には、拡大対象選択ツール画像に対応するサムネイル画像に対して拡大対象選択入力が行われたと判定してもよい。
【００８０】
また入力判定部１１８は、サムネイル画像に対して拡大対象選択入力と編集入力が競合した場合には、先に入力された入力情報を、当該サムネイル画像に対する有効な入力情報としてもよい。
【００８１】
編集処理部１２０は、操作部１６０からの編集用の入力情報等に基づき、取り込まれた画像に対して編集処理を行う。編集処理部１２０は、撮影画像又は合成画像と、これらのいずれかに対応して生成された提供画像を編集用の画像として提供し、所与の編集処理を行うようにしてもよい。
【００８２】
画像生成部１３０は、撮影や編集の結果に基づいて画像を生成し、ディスプレイ１９０に出力する。
【００８３】
音生成部１４０は、処理部１００で行われる種々の処理の結果に基づいて音処理を行い、ＢＧＭ、効果音、又は音声などのゲーム音を生成し、音出力部１９２に出力する。
【００８４】
通信部１９６は、インターネットなどのネットワークを介してデータを送信又は受信する処理を行う。より具体的には、通信部１９６は、カメラの撮影画像により生成されたデータを、ネットワークを介して外部のサーバなどに送信する。このようにすればユーザ（被写体）は、自身が被写体となっている画像のデータを、自分の家のパーソナルコンピュータにサーバからダウンロードすることが可能になる。そしてダウンロードした画像データに基づいて、自分の家のプリンタを用いて、紙やシールに画像を印刷して出力することが可能になる。またユーザが撮影した画像をサーバに保存しておき、撮影画像編集システムにダウンロードして印刷して出力することも可能である。
【００８５】
この通信部１９６の機能は、例えば通信用のデバイス（ＩＣ）などのハードウェアや、通信用のプログラムなどにより実現できる。なお印刷部１９５、通信部１９６のいずれか一方を設けない構成としてもよい。
【００８６】
なお本実施形態の撮影画像編集システムは、固定された筐体である装置でもよいし、携帯用の装置でもよい。 また本実施形態の撮影画像編集システムを、ユーザの撮影画像をゲームに使用するようなタイプのゲーム装置に利用することも可能である。即ち本実施形態の撮影画像編集システムを、ゲーム装置の画像取り込み装置として機能させることも可能である。
【００８７】
２．処理
２−１．編集インターフェース画像
本実施形態の撮影画像編集システムに備えられた撮像部で撮影され、または、他の撮影機器や記録メディアから受け取った複数の被写体画像に対応する複数の編集画像が１又は複数のユーザに提供され、１又は複数のユーザは、複数の編集画像に対して編集作業を行うことができる。なお複数の編集画像は、撮影された被写体画像そのものでもよいし、出力先の媒体に応じて適宜、拡大縮小変形などを加えた画像や被写体のみを切り取った画像でもよい。
【００８８】
複数のユーザはそれぞれ並行して、複数の編集対象画像に対して編集作業を行うことができる。
【００８９】
複数の編集対象画像はサムネイル画像や拡大画像として編集用モニタに表示さる。本実施の形態ではユーザは編集用のモニタに表示された編集インターフェース画像に対して編集入力を行う。
【００９０】
撮影部で６枚の画像が撮影され、６枚の被写体画像を取得した場合を例にとり説明する。なお被写体画像は、撮影部で撮影された撮影画像でもよいし、撮影画像から被写体のみを切り取った切り取り画像でもよい。
【００９１】
図４は、本実施の形態の編集インターフェース画像例である。
【００９２】
編集インターフェース画像３００は、編集用のモニタ画面（図１のＥＭＮ）に表示される。本実施の形態では二人用の編集インターフェース画像３００を例にとり説明する。
【００９３】
編集インターフェース画像３００は、編集用モニタに向かって右側（第１の側の一例）のエリア３５０Ｒと、編集用モニタに向かって左側（第２の側の一例）のエリア３５０Ｌを有している。右側のエリア３５０Ｒの前に立って編集作業を行うユーザ（第１のユーザ）は第１のタッチペン（ポインティングデバイスの一例）３１０−１を用い、左側のエリア３５０Ｌの前に立って編集作業を行うユーザ（第２のユーザ）は第２のタッチペン（ポインティングデバイスの一例）３１０−２を用いて、編集用モニタ（デジタイザ等で構成されている）に対してタッチ入力による編集作業を行う。
【００９４】
本撮影画像編集システムは、編集用モニタとタッチペンにより入力された入力情報が、第１のタッチペン３１０−１による入力か、第２のタッチペン３１０−２による入力かを識別できるよう構成されている。
【００９５】
入力情報は、複数のタッチペンＴＰのいずれであるかを示す入力デバイス識別情報と、タッチペンＴＰが指示する指示位置情報とを含むので、入力デバイス識別情報により、第１のタッチペン３１０−１による入力か、第２のタッチペン３１０−２による入力かを識別できる。
【００９６】
編集インターフェース画像の右側のエリア３５０Ｒは第１の拡大画像表示領域３２０−１、第１のサムネイル画像群３３０−１、第１の編集ツール領域３４０−１（第１の編集パレット３４２−１を含む）を含む。
【００９７】
編集インターフェース画像の左側のエリア３５０Ｌは第２の拡大画像表示領域３２０−２、第２のサムネイル画像群３３０−２、第２の編集ツール領域３４０−２（第２の編集パレット３４２−２を含む）を含む。
【００９８】
編集開始時に、６枚の被写体画像に対応する６枚の編集対象画像からなる２組の編集対象画像群が提供される。
【００９９】
２組の編集対象画像群は、第１のサムネイル画像群３３０−１、第２のサムネイル画像群３３０−２としてサムネイル表示されている。
【０１００】
例えば第１の編集対象画像群は、第１のサムネイル画像群３３０−１に、第２の編集対象画像群は、第２のサムネイル画像群３３０−２にサムネイル表示してもよい。
【０１０１】
編集開始時には、第１の編集対象画像群と第２の編集対象画像群の各編集対象画像は同じであるが、編集が行われる過程において、各ユーザの編集結果を反映して異なるものとなってくる。
【０１０２】
第１のユーザ（第１のタッチペン３１０−１を用いるユーザ）が、第１の拡大画像表示領域３２０−１の拡大画像３２２−１と、第２のサムネイル画像群３３０−２のサムネイル画像３６１〜３６６に対して第１のタッチペン３１０−１を用いてタッチ入力を行うと、編集入力と判定され、入力情報に応じた表示制御及び編集処理が行われる。すなわち第１のユーザは、第１の拡大画像表示領域３２０−１の拡大画像３２２−１と、第２のサムネイル画像群３３０−２のサムネイル画像３６１〜３６６に対しては、特に編集対象の指定等を行うことなく、編集作業を行うことができる。
【０１０３】
また第１のユーザが、第１のサムネイル画像群３３０−１のサムネイル画像３７１〜３７６に対して第１のタッチペン３１０−１を用いてタッチ入力を行うと、拡大対象選択入力と判定され、タッチされたサムネイル画像の拡大画像３２２−１を生成して第１の拡大画像表領域３２０−１に表示する表示制御処理が行われる。これに伴い、第１の拡大画像
表領域３２０−１に先に表示されていた拡大画像は、新たに生成された拡大画像に置き換わることになる。例えば先にサムネイル画像３７１に対応する拡大画像が表示されていた場合に、サムネイル画像３７６に拡大対象選択入力が行われると、第１の拡大画像表領域３２０−１に先に表示される拡大画像は、サムネイル画像３７１の拡大画像から、サムネイル画像３７６に対応する拡大画像に切り替わる。すなわち第１のユーザは、第１のサムネイル画像群３３０−１のサムネイル画像３７１〜３７６に対して第１のタッチペン３１０−１を用いてタッチ入力を行うことにより、第１の拡大画像表示領域３２０−１に表示する拡大画像を切り替えることができる。
【０１０４】
第２のユーザ（第２のタッチペン３１０−２を用いるユーザ）が、第２の拡大画像表示領域実施３２０−２の拡大画像３２２−２と、第１のサムネイル画像群３３０−１のサムネイル画像３７１〜３７６に対して第２のタッチペン３１０−２を用いてタッチ入力を行うと、編集入力と判定され、入力情報に応じた表示制御及び編集処理が行われる。すなわち第２のユーザは、第２の拡大画像表示領域実施３２０−２の拡大画像３２２−２と、第１のサムネイル画像群３３０−１のサムネイル画像３７１〜３７６に対しては、特に編集対象の指定等を行うことなく、編集作業を行うことができる。
【０１０５】
また第２のユーザが、第２のサムネイル画像群３３０−２のサムネイル画像３６１〜３６６に対して第２のタッチペン３１０−２を用いてタッチ入力を行うと、拡大対象選択入力と判定され、タッチされたサムネイル画像の拡大画像３２２−２を生成して第２の拡大画像表領域３２０−２に表示する表示制御処理が行われる。これに伴い、第２の拡大画像表領域３２０−２に先に表示されていた拡大画像は、新たに生成された拡大画像に置き換わることになる。例えば先にサムネイル画像３６１に対応する拡大画像が表示されていた場合に、サムネイル画像３６３に拡大対象選択入力が行われると、第２の拡大画像表領域３２０−２に先に表示される拡大画像は、サムネイル画像３６１の拡大画像から、サムネイル画像３６３に対応する拡大画像に切り替わる。すなわち第２のユーザは、第２のサムネイル画像群３３０−２のサムネイル画像３７１〜３７６に対して第２のタッチペン３１０−２を用いてタッチ入力を行うことにより、第２の拡大画像表示領域３２０−２に表示する拡大画像を切り替えることができる。
【０１０６】
このように本実施の形態では、第１のサムネイル画像群３３０−１と第２のサムネイル画像群３３０−２についてはいずれも編集入力による編集が可能で、拡大対象選択入力による拡大表示も行えるようになっているが、独自の入力判定により、各ユーザの入力が編集入力であるのか、拡大対象選択入力であるのかを自動的に判定できるようになっている。
【０１０７】
図１１（Ａ）（Ｂ）は、本実施の形態の入力判定について説明するための図である。
【０１０８】
図１１（Ａ）は、第１のサムネイル画像、第２のサムネイル画像のそれぞれに対して、編集入力の許可を与えられたタッチペンＴＰと、拡大対象選択入力の許可を与えるタッチペンＴＰを示している。同図に示すように、本実施の形態では、サムネイル画像群に対して、編集入力の許可と、拡大対象選択入力の許可を、異なるタッチペンＴＰに与えている。
【０１０９】
図１１（Ｂ）は、第１のタッチペン３１０−１、第２のタッチペン３１０−２のそれぞれが、編集入力の許可を与えられたサムネイル画像群を示している。同図に示すように、本実施の形態では、各タッチペンＴＰには、少なくとも１つのサムネイル画像群に対する編集入力の許可と、編集入力の許可を与えたサムネイル画像群とは異なるサムネイル画像群に対する拡大対象選択入力の許可を与えている。
【０１１０】
従って、第１のサムネイル画像群３３０−１のサムネイル画像３７１〜３７６の拡大画像３２２−１に対する編集入力の許可を、第１のタッチペン３１０−１に与える。また第２のサムネイル画像群３３０−２のサムネイル画像３６１〜３６６の拡大画像３２２−２に対する編集入力の許可を、第２のタッチペン３１０−２に与える。また第１のサムネイル画像群３３０−１に対する編集入力の許可を第２のタッチペン３１０−２に与え、拡大対象選択入力の許可を第１のタッチペン３１０−１に与える。また第２のサムネイル画像群３３０−２に対する編集入力の許可を第１のタッチペン３１０−１に与え、拡大対象選択入力の許可を第２のタッチペン３１０−２に与える。
【０１１１】
従って入力デバイス識別情報によって特定されるタッチペンＴＰが第１のタッチペン３１０−１であり、指示位置情報によって特定される画像が第１のサムネイル画像群３３０−１のサムネイル画像３７１〜３７６の拡大画像３２２−１である場合には、入力情報が拡大画像に対する有効な編集入力であると判断する。また入力デバイス識別情報によって特定されるタッチペンＴＰが第２のタッチペン３１０−２であり、指示位置情報によって特定される画像が第２のサムネイル画像群３３０−２のサムネイル画像の拡大画像３２２−２である場合には、入力情報が拡大画像に対する有効な編集入力であると判断する。また入力デバイス識別情報によって特定されるタッチペンＴＰが第１のタッチペン３１０−１であり、指示位置情報によって特定される画像が第１のサムネイル画像群３３０−１のサムネイル画像３７１〜３７６である場合には、入力情報が拡大対象選択入力であると判断する。また入力デバイス識別情報によって特定されるタッチペンＴＰが第１のタッチペン３１０−１であり、指示位置情報によって特定される画像が第２のサムネイル画像群３３０−１のサムネイル画像３６１〜３６６である場合には、入力情報が編集入力であると判断する。また入力デバイス識別情報によって特定されるタッチペンＴＰが第２のタッチペン３１０−２であり、指示位置情報によって特定される画像が第２のサムネイル画像群３３０−２のサムネイル画像３６１〜３６６である場合には、入力情報が拡大対象選択入力であると判断する。また入力デバイス識別情報によって特定されるタッチペンＴＰが第２のタッチペン３１０−２であり、指示位置情報によって特定される画像が第１のサムネイル画像群３１０−１のサムネイル画像３７１〜３７６である場合には、入力情報が編集入力であると判断する。
【０１１２】
２−２．サムネイル画像群の配置位置
次にサムネイル画像群の配置例について説明する。
【０１１３】
例えば、図４に示すように、第２のサムネイル画像群３３０−２を、第２の拡大画像表示領域３２０−２よりも表示エリアの第２の側（左側）の端に近い位置に配置し、第１のサムネイル画像群３３０−２を、第１の拡大画像表示領域３２０−１よりも表示エリアの第１の側（右側）の端に近い位置に配置してもよい。
【０１１４】
このようにすると、第１のユーザにとって、表示エリアの第２の側（左側）の端に配置された第２のサムネイル画像群のサムネイル画像３３０−２は編集しにくいものとなる。従って第１のユーザはもっぱら、表示エリアの第１の側（右側）の端に配置された第１のサムネイル画像群３３０−１で、サムネイル画像を選択して拡大画像３２２−１を拡大画像表示領域３２０−１に表示して、拡大画像３２２−１に対して編集作業を行う傾向が高くなる。第２のユーザについても同様である。
【０１１５】
従って第２のユーザの拡大画像選択のための第２のサムネイル画像群３３０−２のサムネイル画像３６１〜３６６を第１のユーザから編集されにくい状態におくことができる。
【０１１６】
第２のサムネイル画像群３３０−２のサムネイル画像３６１〜３６６は、第２のユーザが拡大表示して編集入力を行う画像であるため、他のユーザによって編集されないほうが
、第２のユーザにとって使いやすいインターフェースとなる。
【０１１７】
同様に第１のユーザの拡大画像選択のための第１のサムネイル画像群３３０−１のサムネイル画像３７１〜３７６を第２のユーザから編集されにくい状態におくことができる。第１のサムネイル画像群３３０−１のサムネイル画像３７１〜３７６は、第１のユーザが拡大表示して編集入力を行う画像であるため、他のユーザによって編集されないほうが、第１のユーザにとって使いやすいインターフェースとなる。
【０１１８】
図５は、サムネイル画像群の配置の他の例について説明するための図である。
【０１１９】
図５に示すように、第１のサムネイル画像群３３０−１’と第２のサムネイル画像群３３０−２’とを表示エリアの中央付近に配置してもよい。より具体的には、第１のサムネイル画像群３３０−１’を第１の拡大画像表示領域３２０−１’よりも表示エリアの中央側に配置し、第２のサムネイル画像群３３０−２’を第２の拡大画像表示領域３２０−２よりも表示エリアの中央側に配置してもよい。そして、第１のサムネイル画像群３３０−１’を中央右側（第１の拡大画像表示領域３２０−１’に近い側）に配置し、第２のサムネイル画像群３３０−２’を中央左側（第２の拡大画像表示領域３２０−２’に近い側）に配置してもよい。
【０１２０】
このようにすると図４の場合に比べて第２のサムネイル画像群３３０−２’の位置が第１のプレーヤに近くなるので、第１のプレーヤは第２のサムネイル画像群３３０−２’のサムネイル画像に対して編集作業がおこないやすくなる。また図４の場合に比べて第１のサムネイル画像群３３０−１’の位置が第２のプレーヤに近くなるので、第２のプレーヤは第１のサムネイル画像群３３０−１’のサムネイル画像に対して編集作業がおこないやすくなる。
【０１２１】
２−３．編集入力のキャンセル機能
図６（Ａ）（Ｂ）は、編集入力のキャンセル機能について説明するための図である。
【０１２２】
本実施の形態では、サムネイル画像を編集中のユーザが所定の条件を満たす入力を行った場合に、現在編集中のコンテンツ（落書きの線やスタンプ等）をキャンセルして、当該サムネイル画像を拡大表示することができる。
【０１２３】
所定の条件を満たす入力とは、例えば編集入力中のタッチペンＴＰの接触位置の移動軌跡のパターンが、拡大対象選択入力のタッチペンＴＰの接触位置の移動軌跡のパターンと一致すると判断した場合でもよい。拡大対象選択入力のタッチペンＴＰの接触位置の移動軌跡のパターンは、例えば図６（Ａ）の移動軌跡４６０のように、接触位置がサムネイル画像４５０の内４６２からサムネイル画像４５０の外４６４に向かって（例えば略水平方に）スライド移動するパターン（例えばフリック入力のパターン）でもよい。
【０１２４】
図６（Ｂ）の４３０−１は、時刻ｔ１から時刻ｔ２におけるタッチペンＴＰの移動軌跡であり、４３０−２は時刻ｔ２から時刻ｔ３におけるタッチペンＴＰの移動軌跡である。時刻ｔ１にサムネイル画像４１０の点Ｐ１に接触したタッチペンＴＰが、４３０−１に示すような軌跡を描いて時刻ｔ２に点Ｐ２に到達した場合、時刻ｔ２において編集用モニタに表示されたサムネイル画像４１０’には、時刻ｔ１〜時刻ｔ２のタッチペンＴＰの移動軌跡４３０−１に対応した落書き画像４４０が表示されている。
【０１２５】
その後、タッチペンＴＰは４３０−２に示すような移動軌跡を描いて時刻ｔ３にＰ３に到達した場合、時刻ｔ２〜時刻ｔ３の移動軌跡４３０−２は、図６（Ａ）に示すような拡大対象選択入力のタッチペンＴＰの接触位置の移動軌跡４６０のパターンと一致するので
、サムネイル画像４１０への編集入力はキャンセルされる。従って時刻ｔ３において編集用モニタに表示されたサムネイル画像４１０’では、落書き画像４４０は消去される。そして、編集入力をキャンセルした後、サムネイル画像は拡大表示される。
【０１２６】
このキャンセル機能により、本来は拡大対象選択入力ができないサムネイル画像群のサムネイル画像についても拡大表示することが可能になり、拡大表示した画像について編集作業を行うことができるようになる。
【０１２７】
例えば図４において、第１のユーザが第２のサムネイル画像群３３０−２のサムネイル画像３６１に対して編集中に図６（Ｂ）で説明したようにサムネイル画像３６１の中から外への接触位置を移動させるフリック入力を行った場合には編集入力をキャンセルして、サムネイル画像を３６１の拡大画像を第１の拡大画像表示領域３２０−１に表示させて、編集入力を行うことができる。
【０１２８】
なお編集入力をキャンセルした後、サムネイル画像の拡大表示はせずに、編集入力がキャンセルされるだけの場合も本発明の範囲内である。
【０１２９】
２−４．拡大対象選択ツール画像表示機能
図７は、拡大対象選択ツール画像表示機能について説明するための図である。
【０１３０】
３３２−１は第１の拡大対象選択ツール画像であり、３３２−２は第２の拡大対象選択ツール画像である。第１の拡大対象選択ツール画像３３２−１は、第１のサムネイル画像群３３０−１（サムネイル画像３７１〜３７６）に対応付けて表示されている。第１の拡大対象選択ツール画像３３２−１はカーソル３３４−１とバー３３６−１を含み、バー３３６−１上でカーソル３３４−１をスライドさせることができるよう構成されており、カーソル３３４−１の停止位置で、拡大対象となるサムネイル画像を指示することができる。第１の拡大対象選択ツール画像３３２−１のカーソル３３４−１は、サムネイル画像３７６に対応する位置にあるので、サムネイル画像３７６を拡大対象として選択している状態である（第１の拡大画像表示領域３２０−１に表示されている第１の拡大画像３２２−１はサムネイル画像３７６に対応する画像である）。
【０１３１】
第２の拡大対象選択ツール画像３３２−２は、第２のサムネイル画像群３３０−２（サムネイル画像３６１〜３６６）に対応付けて表示されており、第１の拡大対象選択ツール画像３３２−１と同様の構成である。第２の拡大対象選択ツール画像３３２−２のカーソル３３４−２は、サムネイル画像３６３に対応する位置にあるので、サムネイル画像３６３を拡大対象として選択している状態である（第２の拡大画像表示領域３２０−２に表示されている第２の拡大画像３２２−２はサムネイル画像３６３に対応する画像である）。
【０１３２】
なお拡大対象選択ツール画像の表示態様は図７の場合に限られない。例えば、拡大対象選択ツール画像として各サムネイル画像の側に各サムネイル画像に対応する選択ボタンの画像が表示されている構成でもよい。
【０１３３】
なお記拡大対象選択ツール画像を用いた拡大対象選択入力を行えるのは、拡大対象選択ツール画像が対応付けられているサムネイル画像に対して拡大対象選択入力が許可されているタッチペンＴＰに限定してもよいし、いずれのタッチペンＴＰでも可能な構成にしてもよい。
【０１３４】
２−５．サムネイル画像の排他制御
サムネイル画像に対して拡大対象選択入力と編集入力が競合した場合には、先に入力された入力情報を、当該サムネイル画像に対する有効な入力情報とするサムネイル画像の排
他制御をおこなってもよい。
【０１３５】
例えば図４において、第１のユーザがサムネイル画像３６１に対して落書き（編集入力）しようとしたとき、ほぼ同時に第２のユーザがサムネイル画像３６１に対して拡大対象選択入力を行った場合、サムネイル画像３６１に対して入力が競合する状態となる。
【０１３６】
第２のユーザが、サムネイル画像３６１に対して拡大入力を行った場合には、拡大画像に対して編集入力を行う可能性が高い。競合を認めると同じ編集対象画像に対してサムネイル画像と、拡大画像の両方で編集が行われることになるので、編集態様が複雑になりユーザが使いづらく感じる可能性もある。従ってサムネイル画像に対し拡大対象選択入力と編集入力がほぼ同時に行われた場合（競合した場合）には、いずれか１つを有効なものとして扱い、他は無効とすることで、１つの編集対象画像に対して同時に編集が行われないようにしてもよい。
【０１３７】
また拡大画像が生成されているサムネイル画像については、編集できないような構成にしてもよい。例えば図４において、拡大画像３２２−１は、サムネイル画像３７６を拡大表示したものである場合、拡大画像３２２−１は第１のユーザにより編集可能な状態である。このような場合、拡大画像３２２−１に対応するサムネイル画像３７６は、表示されていても編集不可能な状態にしてもよい。またサムネイル画像３７６を表示しないようにしてもよい。これによりサムネイル画像３７６に対して第２のユーザが編集入力を行うのを防止することができる。
【０１３８】
２−６．本実施の形態の処理
図８は、本実施の形態の編集処理の流れを示すフローチャートである。
【０１３９】
まず複数の被写体画像を取得する（ステップＳ１０）。次に複数の被写体画像に対応する複数の編集対象画像をサムネイル表示した第１のサムネイル画像群、第２のサムネイル画像群を含む編集インターフェース画像を編集用モニタに表示する（ステップＳ２０）。
【０１４０】
タッチペンＴＰの入力情報を取得すると（ステップＳ３０）、入力判定処理を行う（ステップＳ４０）。入力情報が拡大対象選択入力である場合には（ステップＳ５０）、タッチペンＴＰが指示するサムネイル画像の拡大画像を表示する。（ステップＳ６０）。入力情報が、編集入力である場合には（ステップＳ７０）、編集入力情報を蓄積し、ペンアップ状態（タッチペンＴＰが非接触状態に変化）になると、蓄積した編集入力情報に基づき、タッチペンＴＰが指示するサムネイル画像又は拡大画像に編集用のコンテンツ画像を表示する（ステップＳ８０）。
【０１４１】
そして編集確定イベントが発生すると（ステップＳ９０）、編集が確定したサムネイル画像又は拡大画像の編集内容を対応する編集対象画像に反映する（ステップＳ１００）。編集確定イベントとは、拡大画像の切り替えなどなどで発生する。編集終了でなければステップＳ３０に戻ってステップＳ３０〜Ｓ１１０までの処理を繰り返す。
【０１４２】
図９、図１０は、本実施の形態の入力種別判定処理の流れを示すフローチャートである。
【０１４３】
入力情報に含まれた入力デバイス識別情報によって特定されるタッチペンＴＰが、第１のタッチペン３１０−１であれば（ステップＳ２１０でＹ）、以下の処理を行う。入力情報に含まれた指示位置情報により特定される画像が、第１のサムネイル画像群のサムネイル画像であれば（ステップＳ２２０でＹ）、拡大対象選択入力であると判断する（ステップＳ２３０）。
【０１４４】
入力情報に含まれた指示位置情報により特定される画像が第１のサムネイル画像群の拡大画像であれば（ステップＳ２４０でＹ）、編集入力であると判断する（ステップＳ２５０）。
【０１４５】
入力情報に含まれた指示位置情報により特定される画像が第２のサムネイル画像群のサムネイル画像であれば（ステップＳ２６０でＹ）、編集入力であると判断する（ステップＳ２７０）。しかし編集入力の移動軌跡が所定の条件を満たす場合には（ステップＳ２８０）、判定を拡大対象選択入力に変更する（ステップＳ２９０）。
【０１４６】
入力情報に含まれた指示位置情報により特定される画像が第１の編集ツールであれば（ステップＳ３００）、ツールの機能選択入力あると判断する（ステップＳ３１０）。
【０１４７】
また入力情報に含まれた入力デバイス識別情報によって特定されるタッチペンＴＰが、第２のタッチペン３１０−２であれば（ステップＳ３２０でＹ）、以下の処理を行う。
【０１４８】
入力情報に含まれた指示位置情報により特定される画像が、第２のサムネイルが画像群のサムネイル画像であれば（ステップＳ３３０でＹ）、拡大対象選択入力であると判断する（ステップＳ３４０）。
【０１４９】
入力情報に含まれた指示位置情報により特定される画像が、第２のサムネイル画像群の拡大画像であれば（ステップＳ３５０でＹ）、編集入力であると判断する（ステップＳ３６０）。
【０１５０】
入力情報に含まれた指示位置情報により特定される画像が、第１のサムネイル画像群のサムネイル画像であれば（ステップＳ３７０でＹ）、編集入力であると判断する（ステップＳ３８０）。しかし、編集入力の移動軌跡が所定の条件を満たすばあいには（ステップＳ３９０でＹ）、判定を拡大対象選択入力に変更する（ステップＳ４００）。
【０１５１】
入力情報に含まれた指示位置情報により特定される画像が、第２の編集ツールであれば（ステップＳ４１０でＹ）、ツールの機能選択入力あると判断する（ステップＳ４２０）。
【０１５２】
上記実施の形態では、撮影画像編集システムが、業務用の写真印刷装置を例にとり説明したがこれに限られない。例えば、写真撮影画像編集システムや写真シール印刷装置でもよいし、撮影機能を搭載した情報機器（携帯電話等の携帯用通信機器や、携帯用ゲーム機や、携帯情報端末や、パーソナルコンピュータ等）でもよいし、例えば電子カメラ等の撮影画像編集システムでもよい。また本発明は、業務用ゲームシステム、家庭用ゲームシステム、携帯型ゲームシステム、ゲーム画像を生成するシステムボード等の種々のゲームシステムに適用できる。 
【符号の説明】
【０１５３】
ＰＭ  撮影画像編集システム、ＣＭ  撮像部、ＥＭ  編集操作受付部、ＰＢ  写真シール提供部、ＳＰ  スピーカ、ＲＡ  受付領域、ＲＭＮ  受付用モニタ、ＣＩ  コイン投入口、ＲＬ  受付用照明部、ＭＲ  鏡ＭＲ、ＢＴ  撮像移行ボタン、ＣＡ  撮像領域、ＣＲ  カメラ、ＣＬ  撮像用照明部、ＣＭＮ  撮像用モニタ、ＥＡ  編集領域、ＥＭＮ  編集用モニタ、ＴＰ  タッチペン、ＰＡ  取出領域、ＰＯ  写真シール取出口、１００  処理部、１１０  背景抜き取り画像生成部、１１２    確認画像表示制御部、１１４  表示制御部、１１６  画像取り込み制御部、１１８  入力判定部、１２０  編集処理部、１２４  入力情報取得部、１３０  画像生成部、１４０  音生成部、１６０  操作部、１７０  記
憶部、１７４  描画バッファ、１８０  情報記憶媒体、１９０  ディスプレイ、１９２  音出力部、１９４、携帯型情報記憶装置、１９５  印刷部、１９６  通信部、１９８  撮像部
【図１】
2014202761.tif 000003
【図２】
2014202761.tif 000004
【図３】
2014202761.tif 000005
【図４】
2014202761.tif 000006
【図５】
2014202761.tif 000007
【図６】
2014202761.tif 000008
【図７】
2014202761.tif 000009
【図８】
2014202761.tif 000010
【図１０】
2014202761.tif 000011
【図１１】
2014202761.tif 000012
【図９】
2014202761.tif 000013